(57)【要約】  【課題】  暖房システムに電源が投入された際に、循環通路に循環水の水張りが必要な場合にその水張りを自動的に且つ確実に行い、その後行う試運転時間を短縮して作業負荷を軽減すること、或いは、最初の暖房運転開始時間を短縮すること、等が可能な暖房システムの制御方法を提供する。  【解決手段】  暖房タンク２、熱源機３、複数の暖房端末６ａ〜６ｃを備えた暖房システム１を試運転し（試運転工程）、暖房システム１の試運転が正常に終了したか否かを記憶部に記憶させ（試運転結果記憶工程）、暖房システム１に電源を投入した際に、記憶部の記憶情報に基づいて暖房システム１の試運転が正常に終了しており、且つ、暖房タンク２内の水位を検出し、その水位が所定レベル以下である場合にのみ、暖房システム１の循環通路２４に循環水の水張りを再度自動的に行う（再水張り工程）。【選択図】  図１
2005069634.tif 000002
【特許請求の範囲】
【請求項１】
暖房タンクと、この暖房タンクから供給される循環水を加熱する熱源機と、この熱源機から循環水が循環供給される少なくとも１つの暖房端末とを備えた暖房システムを制御する制御方法において、
前記暖房システムの試運転を行う試運転工程と、
前記暖房システムの試運転が正常に終了したか否かを記憶手段に記憶させる試運転結果記憶工程と、
前記暖房システムに電源を投入した際に、前記記憶手段の記憶情報に基づいて暖房システムの試運転が正常に終了しており、且つ、前記暖房タンク内の水位を検出し、その水位が所定レベル以下である場合にのみ、この暖房システムの循環通路に循環水の水張りを再度自動的に行う再水張り工程と、
を備えたことを特徴とする暖房システムの制御方法。
【請求項２】
暖房タンクと、この暖房タンクから供給される循環水を加熱する熱源機と、この熱源機から循環水が循環供給される少なくとも１つの暖房端末とを備えた暖房システムを制御する制御方法において、
前記暖房システムの試運転を行う試運転工程と、
前記暖房システムの試運転が正常に終了したか否かを記憶手段に記憶させる試運転結果記憶工程と、
前記暖房システムに電源を投入した後に、暖房端末の運転操作が行われた際に、前記記憶手段の記憶情報に基づいて暖房システムの試運転が正常に終了しており、且つ、前記暖房タンク内の水位を検出し、その水位が所定レベル以下である場合にのみ、この暖房システムの循環通路に循環水の水張りを再度自動的に行う再水張り工程と、
を備えたことを特徴とする暖房システムの制御方法。
【請求項３】
前記再水張り工程において、複数の暖房端末に対応する複数の循環通路に順次循環水の水張りを行うことを特徴とする請求項１又は２に記載の暖房システムの制御方法。
【請求項４】
前記暖房システムは、暖房タンクに補水する自動補水装置と、熱源機から循環水を供給する循環ポンプと、複数の暖房端末に対応する複数の循環通路を夫々開閉する複数の循環通路開閉弁とを備え、
前記再水張り工程では、前記自動補水装置と循環ポンプと複数の循環通路開閉弁を制御して、暖房タンクへの自動補水を行うと共に、循環ポンプを駆動して複数の循環通路開閉弁を順次開放することを特徴とする請求項３に記載の暖房システムの制御方法。
【請求項５】
前記再水張り工程において、暖房タンクへの自動補水の開始から所定時間経過しても、暖房タンク内の水位の上昇が検出されない場合に、暖房タンクへの補水通路が閉止されている旨を報知することを特徴とする請求項４に記載の暖房システムの制御方法。
【発明の詳細な説明】
【技術分野】
【０００１】
本発明は、暖房タンクと熱源機と暖房端末とを備えた暖房システムを制御して、この暖房システムの循環通路に循環水の水張りを再度自動的に行う制御方法に関する。
【背景技術】
【０００２】
従来、暖房タンク、暖房タンクから供給される循環水を加熱する熱源機、熱源機から循環水が夫々循環供給される複数の暖房端末、暖房タンクに補水する自動補水装置、熱源機から循環水を供給する循環ポンプ、複数の暖房端末に対応する複数の循環通路を夫々開閉する複数の循環通路開閉弁、等を備え暖房システムが実用に供されている。
【０００３】
こうした暖房システムでは、施工業者等により配管工事を含む施工後、水漏れや誤配管等がなく正常に機能するか否か試運転が行われる。この試運転では、暖房タンクに補水しつつ循環ポンプを駆動し、各暖房端末毎に対応する循環通路開閉弁を開けて循環通路に水張りを行い、熱源器を駆動して、例えば、熱源機から吐出される温水の吐出温度と、暖房端末から戻る温水の戻り温度とを検出し比較して、その温度差が所定温度差であれば正常に機能していると判断される。暖房システムの多くは、この試運転を自動的に行う試運転機能を備えている。
【０００４】
ところで、暖房システムの施工・試運転の後から施主が入居するまで、或いは、長期不在時には、暖房システムの電源をオフにしておき、また、暖房システムの循環水の凍結防止等のために、循環水を排水しておく場合が多い。この場合、一般に、施主入居後（長期不在後）のガス開栓時に、再度、施工業者等によって、暖房システムの試運転が行われるが、循環水は排水されているため、この試運転の際に、暖房システムの循環通路に循環水の水張りを再度行う必要がある。
【０００５】
尚、特許文献１には、冷暖房試運転を行った際、各冷暖房端末毎に試運転の結果を記憶しておき、異常と判断された冷暖房端末系統については補修・改善しておくことになるが、再度、冷暖房試運転を行う場合に、前回の試運転で異常と判断された冷暖房端末のみを今回は試運転する、冷暖房設備の自動試運転装置が開示されている。
【０００６】
ここで、特許文献２には、電源投入時から運転スイッチが最初にオンされるまで、水張りモードとなり、循環通路への循環水の水張りが可能な温水暖房装置が開示されている。この温水暖房装置では、水張りモードにおいて、暖房タンク内の水位が所定水位以上の場合、循環ポンプが作動して水張りが実行され、暖房タンク内の水位が所定水位未満になると水張りが中断する。この場合、暖房タンク内の水位を所定水位以上にして水張りを実行させるために、作業者が何らかの操作・作業を行って暖房タンクに補水する必要がある。
【０００７】
また、循環水が空の状態で、各暖房端末で暖房運転操作が行われると、先ず、自動で循環通路に循環水の水張りが行われ、水張り完了後に暖房運転が行われる暖房システムが実用に供されており、この暖房システムでは、通常、暖房タンク内の水位が低下した場合に、自動で暖房タンクに補水するようになっている。更に、暖房タンクへの補水が所定時間（例えば、６４時間）に所定回数（例えば、２回）以上行われると、循環水が漏水していると判断して警告する漏水検知機能を備えた暖房システムも広く実用に供されている。
【０００８】
【特許文献１】特開平６−３４７０７５号公報
【特許文献２】特開平８−１７８３１４号公報
【発明の開示】
【発明が解決しようとする課題】
【０００９】
従来、暖房システムの施工・試運転を行った後から施主が入居するまで、或いは、長期不在時に、暖房システムの電源をオフにしておき、循環水を排水しておいた場合に、施主入居後（長期不在時後）のガス開栓時に、施工業者等によって、暖房システムの試運転を行う際に、暖房システムの循環通路に循環水の水張りを行う必要があるため、この水張りに要する時間を含む試運転時間が非常に長くなり、施工業者等の作業負荷も大きくなる。
【００１０】
特許文献２の温水暖房装置では、電源投入時に水張りモードとなり、暖房タンク内の水位が所定水位以上の場合には、循環通路に循環水の水張りが行われるが、暖房タンク内の水位が所定水位未満になると水張りが行われなくなり、それ故、水張りを実行させるために、作業者が何らかの操作・作業を行って暖房タンクに補水する必要があるため、水張り時間が長くなり作業負荷も大きくなる。また、電源投入時から必ず水張りモードとなり、暖房タンク内の水位が所定水位以上の場合に循環ポンプが作動して水張り運転が行われるため、水張りが不要な場合にも水張り運転が行われる虞がある。
【００１１】
循環水が空の状態で、各暖房端末で暖房運転操作が行われると、自動で循環通路に循環水の水張りを行い、水張り完了後に暖房運転を行う暖房システムでは、複数の暖房端末で略同時に暖房運転操作が行われると、水張りが実行不能となる虞がある。また、この種の暖房システムにおいて、前記漏水検知機能を備えた場合には、暖房試運転が行われると、暖房タンクから複数の暖房端末の循環通路に循環水が個別に供給され、暖房タンクへの補水が繰り返し行われるため、水張り実行中に、循環水が漏水していると誤判断してしまう問題がある。
【００１２】
一方、通常、暖房タンクへの補水通路には補水通路元栓が設けられており、この補水通路元栓を開けて水張りを行うが、補水通路元栓を開けずに水張りを行っても、実際には水張りを行うことができない。このことを作業者等が気付かずに無用に時間が過ぎてしまい、また、気付いたとしても、どこに不具合があるのか容易に知ることができず、この不具合を容易に解消することができない問題もある。
【００１３】
本発明の目的は、暖房システムに電源が投入された際に、循環通路に循環水の水張りが必要な場合にその水張りを自動的に且つ確実に行い、その後行う試運転時間を短縮して作業負荷を軽減し、最初の暖房運転開始時間を短縮し、また、暖房システムに電源を投入した後に暖房端末の運転操作が行われた際に、循環通路に循環水の水張りが必要な場合にその水張りを自動的に且つ確実に行い、循環水が空の状態で暖房運転操作したときに発生する不具合を解消できる、暖房システムの制御方法を提供することである。
【課題を解決するための手段】
【００１４】
請求項１の暖房システムの制御方法は、暖房タンクと、この暖房タンクから供給される循環水を加熱する熱源機と、この熱源機から循環水が循環供給される少なくとも１つの暖房端末とを備えた暖房システムを制御する制御方法において、前記暖房システムの試運転を行う試運転工程と、前記暖房システムの試運転が正常に終了したか否かを記憶手段に記憶させる試運転結果記憶工程と、前記暖房システムに電源を投入した際に、前記記憶手段の記憶情報に基づいて暖房システムの試運転が正常に終了しており、且つ、前記暖房タンク内の水位を検出し、その水位が所定レベル以下である場合にのみ、この暖房システムの循環通路に循環水の水張りを再度自動的に行う再水張り工程とを備えたことを特徴とする。
【００１５】
例えば、暖房システムの配管工事を含む施工後、試運転工程において、暖房システムの試運転が行われ、試運転結果記憶工程において、暖房システムの試運転が正常に終了したか否か記憶手段に記憶される。暖房システムの試運転が正常に終了しなかった場合、この暖房システムを補修・改善しておいて、再度試運転を行い、暖房システムの試運転が正常に終了したことを記憶手段に記憶させておく。その後、例えば、施主が入居するまでは、暖房システムの電源をオフにしておき、循環水を排水しておくものとする。
【００１６】
次に、例えば、施主の入居後、再水張り工程において、暖房システムに電源を投入した際に、記憶手段の記憶情報に基づいて暖房システムの試運転が正常に終了しており、且つ、暖房タンク内の水位が検出され、その水位が所定レベル以下である場合にのみ、この暖房システムの循環通路に循環水の水張りが再度自動的に行われる。
【００１７】
請求項２の暖房システムの制御方法は、暖房タンクと、この暖房タンクから供給される循環水を加熱する熱源機と、この熱源機から循環水が循環供給される少なくとも１つの暖房端末とを備えた暖房システムを制御する制御方法において、前記暖房システムの試運転を行う試運転工程と、前記暖房システムの試運転が正常に終了したか否かを記憶手段に記憶させる試運転結果記憶工程と、前記暖房システムに電源を投入した後に、暖房端末の運転操作が行われた際に、前記記憶手段の記憶情報に基づいて暖房システムの試運転が正常に終了しており、且つ、前記暖房タンク内の水位を検出し、その水位が所定レベル以下である場合にのみ、この暖房システムの循環通路に循環水の水張りを再度自動的に行う再水張り工程とを備えたことを特徴とする。
【００１８】
例えば、施主の入居後、再水張り工程において、暖房システムに電源を投入した後に、暖房端末の運転操作が行われた際に、記憶手段の記憶情報に基づいて暖房システムの試運転が正常に終了しており、且つ、暖房タンク内の水位が検出され、その水位が所定レベル以下である場合にのみ、この暖房システムの循環通路に循環水の水張りが再度自動的に行われる。その他の作用は、請求項１の作用と略同じである。
【００１９】
請求項３の暖房システムの制御方法は、請求項１又は２の発明において、前記再水張り工程において、複数の暖房端末に対応する複数の循環通路に順次循環水の水張りを行うことを特徴とする。再水張り工程において、複数の暖房端末に対応する複数の循環通路に順次循環水の水張りが確実に行われる。
【００２０】
請求項４の暖房システムの制御方法は、請求項３の発明において、前記暖房システムは、暖房タンクに補水する自動補水装置と、熱源機から循環水を供給する循環ポンプと、複数の暖房端末に対応する複数の循環通路を夫々開閉する複数の循環通路開閉弁とを備え、前記再水張り工程では、前記自動補水装置と循環ポンプと複数の循環通路開閉弁を制御して、暖房タンクへの自動補水を行うと共に、循環ポンプを駆動して複数の循環通路開閉弁を順次開放することを特徴とする。
【００２１】
再水張り工程において、自動補水装置と循環ポンプと複数の循環通路開閉弁が制御されて、自動補水装置により暖房タンクへの自動補水が行われ、循環ポンプが駆動されて熱源機から循環水が供給され、複数の循環通路開閉弁が順次開放され、複数の暖房端末に対応する複数の循環通路に順次循環水の水張りが確実に行われる。
【００２２】
請求項５の暖房システムの制御方法は、請求項４の発明において、前記再水張り工程において、暖房タンクへの自動補水の開始から所定時間経過しても、暖房タンク内の水位の上昇が検出されない場合に、暖房タンクへの補水通路が閉止されている旨を報知することを特徴とする。
【００２３】
再水張り工程において、暖房タンクへの自動補水の開始から所定時間経過しても、暖房タンク内の水位の上昇が検出されない場合には、暖房タンクへの補水通路が閉止されていることになるが、その旨が報知されるため、使用者は、暖房タンクへの補水通路が閉止されていることを容易に知り、即座に補水通路を開放して対応可能となる。
【発明の効果】
【００２４】
請求項１の暖房システムの制御方法によれば、暖房システムの試運転を一旦行った後、暖房システムの循環通路から循環水を排水しておいた状態で、暖房システムに電源を投入することにより、前に行った暖房システムの試運転が正常に終了しており、且つ、暖房タンク内の水位が所定レベル以下である場合にのみ、この暖房システムの循環通路に循環水の水張りを再度自動的に行うことができる。つまり、暖房システムに電源投入後、直ぐに循環通路への循環水の水張りが行われるため、その後、水張りに要する時間が不要となるため、最初に暖房運転を開始する場合も、その暖房運転開始時間を短縮できる。
【００２５】
また、試運転が正常に終了していない場合、暖房システムの補修・改善が必要であり、その補修・改善が行われないまま水張りを行うことは無駄なことであるが、本発明では、暖房システムの試運転が正常に終了していない場合には、循環通路に循環水の水張りを行わないため、不要な水張り運転を確実に防止できる。また、水張りが行われた状態で、電源をオフしてオンするような場合、暖房タンク内の水位が所定レベル以下でないため、こうした場合も、しかるべき不要な水張り運転を確実に防止できる。
【００２６】
更に、暖房運転を開始させるのは、電源が投入され、循環通路への水張りが完了した後となり、循環水が空の状態で暖房運転が行われることがないため、複数の暖房端末において暖房運転操作を行った際等に水張りができないこと、また、漏水検知機能を備えた場合に、水張りが行われると暖房タンク内の水位が低下し、暖房タンクへの補水が繰り返し行われるため、水張り実行中に、循環水が漏水していると誤判断してしまうこと等、種々の不具合を解消することが可能となる。
【００２７】
請求項２の暖房システムの制御方法によれば、暖房システムの試運転を一旦行った後、暖房システムの循環通路から循環水を排水しておいた状態で、暖房システムに電源を投入した後に暖房運転の運転操作を行うことにより、前に行った暖房システムの試運転が正常に終了しており、且つ、暖房タンク内の水位が所定レベル以下である場合にのみ、この暖房システムの循環通路に循環水の水張りを再度自動的に行うことができ、請求項１の、暖房システムに電源投入後、最初に暖房運転を開始する場合の暖房運転開始時間を短縮できる、という効果以外の効果と略同様の効果を奏する。
【００２８】
請求項３の暖房システムの制御方法によれば、再水張り工程において、複数の暖房端末に対応する複数の循環通路に順次循環水の水張りを行うので、複数の暖房端末に対応する複数の循環通路に順次循環水の水張りを確実に行うことができる。
【００２９】
請求項４の暖房システムの制御方法によれば、暖房システムは、暖房タンクに補水する自動補水装置と、熱源機から循環水を供給する循環ポンプと、複数の暖房端末に対応する複数の循環通路を夫々開閉する複数の循環通路開閉弁とを備え、再水張り工程では、自動補水装置と循環ポンプと複数の循環通路開閉弁を制御して、暖房タンクへの自動補水を行うと共に、循環ポンプを駆動して複数の循環通路開閉弁を順次開放するので、複数の暖房端末に対応する複数の循環通路に順次循環水の水張りを確実に行うことができる。
【００３０】
請求項５の暖房システムの制御方法によれば、再水張り工程において、暖房タンクへの自動補水の開始から所定時間経過しても、暖房タンク内の水位の上昇が検出されない場合に、暖房タンクへの補水通路が閉止されている旨を報知するので、使用者は、暖房タンクへの補水通路が閉止されていることを容易に知り、即座に補水通路を開放して対応可能となる。
【発明を実施するための最良の形態】
【００３１】
本実施形態の暖房システムの制御方法は、暖房タンクと、この暖房タンクから供給される循環水を加熱する熱源機と、この熱源機から循環水が循環供給される少なくとも１つの暖房端末とを備えた暖房システムに適用したものであり、暖房システムの試運転を行う試運転工程、暖房システムの試運転が正常に終了したか否かを記憶手段に記憶させる試運転結果記憶工程、暖房システムに電源を投入した際に、前記記憶手段の記憶情報に基づいて暖房システムの試運転が正常に終了しており、且つ、前記暖房タンク内の水位を検出し、その水位が所定レベル以下である場合にのみ、この暖房システムの循環通路に循環水の水張りを再度自動的に行う再水張り工程を備えたものである。
【実施例１】
【００３２】
図１に示すように、暖房システム１は、暖房タンク２、暖房タンク２から供給される循環水を加熱する熱交換器４とバーナ５とを有する熱源機３、熱源機３から循環水が夫々循環供給される複数の暖房端末６ａ〜６ｃ、暖房タンク２に補水する自動補水装置７、ポンプモータ９で駆動されて熱源機３から循環水を供給する循環ポンプ８、複数の暖房端末６ａ〜６ｃに対応する複数の循環通路２３ａ〜２３ｃを夫々開閉する複数の循環通路開閉弁１０ａ〜１０ｃ、バーナ５と自動補水装置７と循環ポンプ８と複数の循環通路開閉弁１０ａ〜１０ｃ等を制御する制御装置１２、リモコン装置１１、等を備えている。
【００３３】
暖房タンク２と熱交換器４は通路２０で接続され、この通路２０に循環ポンプ８が設けられている。熱交換器４から吐出通路２１が延び、暖房タンク２へ戻り通路２２が延び、複数の暖房端末６ａ〜６ｃは、その端末内部通路を含む複数の循環通路２３ａ〜２３ｃにより、吐出通路２１と戻り通路２２に並列接続され、各循環通路２３ａ〜２３ｃに循環通路開閉弁１０ａ〜１０ｃが設けられている。各循環通路開閉弁１０ａ〜１０ｃは、制御装置１２により開閉制御されて自動的に開閉する。
【００３４】
通路２０、吐出通路２１、戻り通路２２、複数の循環通路２３ａ〜２３ｃ等で、全体の循環通路２４が構成されている。循環通路２４に循環水が充填されている状態で、循環ポンプ８が駆動されると、暖房タンク２から熱交換器４に循環水が供給され、熱源機３が駆動している場合には循環水が加熱される。熱源機３からは、循環通路開閉弁１０ａ〜１０ｃが開放している暖房端末６ａ〜６ｃに循環水が供給され、その暖房端末６ａ〜６ｃから暖房タンク２に循環水が戻され、このように循環水が循環する。
【００３５】
暖房タンク２には補水通路２５が接続され、この補水通路２５に自動補水装置７が設けられている。この自動補水装置７は、制御装置１２により開閉制御されて自動的に開閉する開閉弁を有するものである。また、補水通路２５には、自動補水装置７よりも上流側において元弁２６が設けられ、この元弁２６を手動操作して補水通路２５を開放／閉止することができる。
【００３６】
さて、暖房タンク２の内部には、暖房タンク２内の循環水の水位を検出する２つの水位センサ３０，３１が設けられ、水位センサ３０により、暖房タンク２内の水位がＬレベルに達していることを検出でき、水位センサ３１により、暖房タンク２内の水位がＨレベルに達していることを検出できる。尚、暖房システム１の運転時、暖房タンク２内の水位がＬレベルに達していない場合、自動補水装置７により暖房タンク２への補水が行われる。
【００３７】
制御装置１２には試運転スイッチ１４が設けられ、リモコン装置１１には起動スイッチ１３と液晶等のディスプレイ１５が設けられている。各暖房端末６ａ〜６ｃには、温度設定等の各種設定を行うと共に自動補水装置７や循環ポンプ８や複数の循環通路開閉弁１０ａ〜１０ｃ等の駆動機器を制御する為の端末制御装置３５ａ〜３５ｃが設けられている。
【００３８】
次に、暖房システム１の制御系について説明する。
図２に示すように、制御装置１２は、ＣＰＵとＲＯＭとＲＡＭとを含むコンピュータを有し、この制御装置１２に、リモコン装置１１が通信可能に接続され、試運転スイッチ１４、水位センサ３０，３１等のスイッチ・センサ類が接続され、これらスイッチ・センサ類からスイッチ・センサ信号が入力され、また、複数の端末制御装置３５ａ〜３５ｃが夫々運転情報等を双方向通信可能に接続されている。
【００３９】
また、制御装置１２は、自動補水装置７、ポンプモータ９、複数の循環通路開閉弁１０ａ〜１０ｃ等の駆動機器に接続され、前記スイッチ・センサ信号や運転情報等に基づいて、これら駆動機器に制御信号を出力して駆動機器を駆動制御する。制御装置１２と駆動機器等は、ブレーカ３８を介して電源３９から電力を受電して作動可能となる。
【００４０】
さて、この暖房システム１は、制御装置１２により、暖房システム１の試運転を行い（試運転工程）、暖房システム１の試運転が正常に終了したか否かをＥＰＰＲＯＭ等の不揮発性の記憶部に記憶させ（試運転結果記憶工程）、暖房システム１にブレーカ３８をオンにして電源を投入した際に、記憶部の記憶情報に基づいて暖房システム１の試運転が正常に終了しており、且つ、暖房タンク２内の水位を水位センサ３０により検出し、その水位が所定レベルであるＬレベル以下である場合にのみ、この暖房システム１の循環通路２４に循環水の水張りを再度自動的に行う（再水張り工程）、ことを可能にしてある。
【００４１】
再水張り工程においては、複数の暖房端末６ａ〜６ｃに対応する複数の循環通路２３ａ〜２３ｃに順次循環水の水張りを行い、具体的には、制御装置１２により自動補水装置７と循環ポンプ８と複数の循環通路開閉弁１０ａ〜１０ｃを制御して、暖房タンク２内の水位がＬレベル以上になるように暖房タンク２への自動補水を行うと共に、循環ポンプ８を駆動して複数の循環通路開閉弁１０ａ〜１０ｃを順次開放するようにしている。
【００４２】
更に、再水張り工程においては、暖房タンク２への自動補水の開始から所定時間Ｔ１（例えば、Ｔ１＝６０秒）経過しても、水位センサ３０により暖房タンク２内の水位がＬレベル以上になったことが検出されない場合、即ち、暖房タンク２内の水位の上昇が検出されない場合に、暖房タンク２への補水通路２５が閉止されている旨（例えば、「補水通路が閉止されています。元弁を開いて下さい。」）をディスプレイ１５に表示させて報知するようにしてある。
【００４３】
以上の試運転工程、試運転結果記憶工程、再水張り工程とを備えた制御方法を実現するために、制御装置１２のＲＯＭに、試運転制御プログラム、再水張り制御プログラムが格納されている。次に、これらプログラムに基づいて達成される試運転制御、再水張り制御について図３〜図５のフローチャートに基づいて説明する。尚、フローチャート中のＳｉ（ｉ＝１、２、３・・・等）は各ステップを示すものである。
【００４４】
図３に示すように、試運転制御は、ブレーカ３８をオンにして暖房システム１に電源を投入した状態で、試運転スイッチ１４をオンすることで開始される。但し、暖房システム１の試運転を開始するにあたって、バーナ５に供給されるガスが開栓されているものとする。
【００４５】
さて、試運転制御が開始されると、先ず、複数の暖房端末６ａ〜６ｃの中から暖房試運転が今回未だ実行されていない１つの暖房端末６ａ又は６ｂ又は６ｃが選択され（Ｓ１）、その暖房端末に対応する循環通路開閉弁６ａ又は６ｂ又は６ｃが制御されて循環通路２３ａ又は２３ｂ又は２３ｃが開放され（Ｓ２）、その循環通路２３ａ又は２３ｂ又は２３ｃに水張りが行われ、暖房試運転が実行される（Ｓ３）。循環通路に水張りを行う場合、暖房タンク２内の水位がＬレベル以上になるように、自動補水装置７により暖房タンク２に循環水が自動的に補水される。尚、選択されていない暖房端末に対応する循環通路は閉止された状態となっている。
【００４６】
Ｓ３の暖房試運転では、熱源機３と循環ポンプ８が駆動されて、選択された暖房端末に温水が循環供給され、その際に、試運転データとして、例えば、熱源機３から吐出される温水の吐出温度と、暖房端末から戻る温水の戻り温度とが取得される（Ｓ４）。尚、これら吐出温度と戻り温度とを検出する温度センサ（図示略）は設けられている。尚、複数の循環通路２３ａ〜２３ｃの全部に水張りを行った後に、暖房試運転を実行し、試運転データを取得するようにしてもよい。
【００４７】
その後、循環通路開閉弁が制御されて開放していた循環通路が閉止され（Ｓ５）、次に、全暖房端末６ａ〜６ｃの暖房試運転が完了していない場合には（Ｓ６；No）、Ｓ１へリターンし、完了している場合（Ｓ６；Yes ）、Ｓ７へ移行する。Ｓ７では、全暖房端末６ａ〜６ｃについて、Ｓ４で取得された吐出温度と戻り温度の温度差が所定温度差であれば正常に機能していると判断され、それ以外の温度差であれば正常に機能していないと判断され（Ｓ６）、その試運転結果が記憶部に記憶され（Ｓ８）、終了する。
【００４８】
こうして、この暖房システム１の試運転は、暖房タンク２に補水しつつ循環ポンプ８を駆動し、各暖房端末６ａ〜６ｃ毎に対応する循環通路開閉弁１０ａ〜１０ｃを開けて循環通路２３ａ〜２３ｃに水張りを行い、熱源器３を駆動して行われる。この暖房試運転の結果、正常に機能していない場合は補修・改善してから、再度、試運転を行うことになる。
【００４９】
次に、図４に示すように、再水張り制御は、ブレーカ３８がオフで暖房システム１に電源が投入されていない状態から、ブレーカ３８をオンしたとき、暖房システム１に電源が投入されて制御装置１２が起動して開始される。再水張り制御が開始されると、先ず、暖房試運転の結果が記憶部から読み出され（Ｓ１０）、この記憶情報に基づいて前回の暖房試運転が正常に終了しているか否か判定される（Ｓ１１）。
【００５０】
前回の暖房試運転が正常に終了していない場合には（Ｓ１１；No）、再水張り制御が終了し、前回の暖房試運転が正常に終了している場合には（Ｓ１１；Yes ）、次に、水位センサ３０により暖房タンク２内の水位が検出され、その水位がＬレベル以下であるか否か判定され（Ｓ１２）、Ｌレベル以下の場合（Ｓ１２；Yes ）、凍結防止の為に排水が行われたと判断して、引き続き再水張り制御が実行されるが、Ｌレベル以下でない場合（Ｓ１２；No）、排水が行われていないと判断して、再水張り制御が終了する。
【００５１】
暖房タンク２内の水位がＬレベル以下の場合（Ｓ１２；Yes ）、次に、複数の暖房端末６ａ〜６ｃの中から水張りが未だ実行されていない１つの暖房端末６ａ又は６ｂ又は６ｃが選択され（Ｓ１３）、水張りチェック処理（Ｓ１４）が実行されると共に、水張り運転が開始され（Ｓ１５）、暖房タンク２内の水位がＬレベル以上になるように暖房タンク２への自動補水が行われ、選択された暖房端末に対応する循環通路開閉弁１０ａ又は１０ｂ又は１０ｃが制御されて循環通路２３ａ又は２３ｂ又は２３ｃが開放され、暖房タンク２内の水位がＬレベル以上の状態で循環ポンプ８が駆動されて、その循環通路に循環水が充填されていく。
【００５２】
尚、選択されていない暖房端末に対応する循環通路は閉止された状態となっている。その後、例えば、一定時間経過しても、暖房タンク２内の水位がＬレベル以下にならない場合に、水張り完了と判定され（Ｓ１６；Yes ）、水張り運転が停止され、開放していた循環通路も閉止されて、Ｓ１８へ移行する。
【００５３】
その後、全暖房端末６ａ〜６ｃの処理が完了していない場合には（Ｓ１８；No）、Ｓ１３へリターンし、完了している場合（Ｓ１８；Yes ）、終了する。こうして、暖房タンク２への自動補水を行うと共に、循環ポンプ８を駆動して複数の循環通路開閉弁１０ａ〜１０ｃを順次開放することで、複数の暖房端末６ａ〜６ｃに対応する複数の循環通路２３ａ〜２３ｃに順次循環水の水張りを行う。
【００５４】
ところで、図５に示すように、Ｓ１４の水張りチェック処理が開始されると、補水時間Ｔが０にリセットされ（Ｓ２０）、次に、暖房タンク２内の水位がＬレベル以上であるか否か判定され（Ｓ２１）、Ｌレベル以上である場合（Ｓ２１；Yes ）、この水張りチェック処理は終了する。一方、Ｌレベル以上でない場合には（Ｓ２１；No）、補水時間Ｔが計時され（Ｓ２２）、次に、補水時間Ｔが所定時間Ｔ１（例えば、Ｔ１＝６０秒）以上であるか否か判定される（Ｓ２３）。
【００５５】
そして、補水時間Ｔが所定時間Ｔ１以上でない場合（Ｓ２３；No）、Ｓ２１へリターンし、所定時間Ｔ１以上である場合（Ｓ２３；Yes ）、警告（Ｓ２４）がなされ、例えば、ディスプレイ１５に、「補水通路が閉止されています。元弁を開いて下さい。」が表示されて、終了する。暖房タンク２への自動補水の開始から所定時間Ｔ１経過しても、暖房タンク２内の水位の上昇が検出されない場合に、元栓２６が閉じられ補水通路２５が閉止されている可能性が非常に高く、それ故、暖房タンク２への補水通路が閉止されている旨をディスプレイ１５に表示して報知するようにしている。
【００５６】
この暖房システム１の作用・効果について説明する。
例えば、暖房システム１の配管工事を含む施工後、試運転工程において、暖房システム１の試運転が行われ、試運転結果記憶工程において、暖房システム１の試運転が正常に終了したか否か記憶部に記憶される。暖房システム１の試運転が正常に終了しなかった場合、この暖房システム１を補修・改善しておいて、再度試運転を行い、暖房システム１の試運転が正常に終了したことを記憶部に記憶させておく。その後、例えば、施主が入居するまでは、暖房システム１の電源をオフにしておき、循環水を排水しておくものとする。
【００５７】
次に、例えば、施主の入居後、再水張り工程において、暖房システム１に電源を投入した際に、記憶部の記憶情報に基づいて暖房システム１の試運転が正常に終了しており、且つ、暖房タンク２内の水位が検出され、その水位がＬレベル以下である場合にのみ、この暖房システム１の循環通路２４に循環水の水張りが再度自動的に行われる。
【００５８】
つまり、その後、例えば、ガス開栓時等に、再度試運転を行う場合には、既に循環通路２４への循環水の水張りが完了した状態となっており、水張りに要する時間が不要となるため、試運転時間を大幅に短縮して試運転の手間を省き作業負荷を軽減できる。また、その後、最初に暖房運転を開始する場合も、既に循環通路２４への循環水の水張りが完了した状態となっているため、その暖房運転開始時間を大幅に短縮することができる。
【００５９】
また、試運転が正常に終了していない場合、暖房システム１の補修・改善が必要であり、その補修・改善が行われないまま水張りを行うことは無駄なことであるが、本発明では、暖房システム１の試運転が正常に終了していない場合には、循環通路２４に循環水の水張りを行わないため、不要な水張り運転を確実に防止できる。また、水張りが行われた状態で、電源をオフしてオンするような場合、暖房タンク２内の水位がＬレベル以下でないため、こうした場合も、しかるべき不要な水張り運転を確実に防止できる。
【００６０】
更に、暖房運転を開始させるのは、電源が投入され、循環通路２４への水張りが完了した後となり、循環水が空の状態で暖房運転が行われることがないため、複数の暖房端末６ａ〜６ｃにおいて暖房運転操作を行った際等に水張りができないこと、また、漏水検知機能を備えた場合に、水張りが行われると暖房タンク２内の水位が低下し、暖房タンク２への補水が繰り返し行われるため、水張り実行中に、循環水が漏水していると誤判断してしまうこと等、種々の不具合を解消可能となる。
【００６１】
再水張り工程では、自動補水装置７と循環ポンプ８と複数の循環通路開閉弁１０ａ〜１０ｃを制御して、暖房タンク２への自動補水を行うと共に、循環ポンプ８を駆動して複数の循環通路開閉弁１０ａ〜１０ｃを順次開放するので、複数の暖房端末６ａ〜６ｃに対応する複数の循環通路２３ａ〜２３ｃに順次循環水の水張りを確実に行うことができる。
【００６２】
再水張り工程において、暖房タンク２への自動補水の開始から所定時間Ｔ１経過しても、暖房タンク２内の水位の上昇が検出されない場合に、暖房タンク２への補水通路２５が閉止されている旨を報知するので、使用者は、暖房タンク２への補水通路２５が閉止されていることを容易に知り、即座に補水通路２５を開放して対応可能となる。
【実施例２】
【００６３】
実施例２の暖房システム１では、暖房システム１に電源を投入した後に、複数の暖房端末６ａ〜６ｃの何れかの暖房端末６ａ又は６ｂ又は６ｃの運転操作が行われた際に、記憶部の記憶情報に基づいて暖房システム１の試運転が正常に終了しており、且つ、暖房タンク２内の水位を検出し、その水位がＬレベル以下である場合にのみ、この暖房システム１の循環通路２４に循環水の水張りを再度自動的に行うように、再水張り工程を構成してもよい。この場合の再水張り制御のフローチャートは、制御開始条件を除いて図４のフローチャートと同様である。その他、実施例１の暖房システム１と同様である。
【００６４】
この暖房システム１によれば、暖房システム１の試運転を一旦行った後、暖房システム１の循環通路２４から循環水を排水しておいた状態で、暖房システム１に電源を投入した後に暖房運転の運転操作を行うことにより、前に行った暖房システム１の試運転が正常に終了しており、且つ、暖房タンク２内の水位がＬレベル以下である場合にのみ、この暖房システム１の循環通路２４に循環水の水張りを自動的に行うことができ、実施例１の、暖房システム１に電源投入後、最初に暖房運転を開始する場合の暖房運転開始時間を短縮できる、という効果以外の効果と略同様の効果を奏する。
【実施例３】
【００６５】
実施例３の暖房システム１では、暖房システム１に電源を投入した後に、複数の暖房端末６ａ〜６ｃの何れかの暖房端末６ａ又は６ｂ又は６ｃの運転操作が行われた際に、その運転操作された暖房端末系統にのみ、記憶部の記憶情報に基づいて暖房試運転が正常に終了しており、且つ、暖房タンク２内の水位を検出し、その水位がＬレベル以下である場合にのみ、運転操作された暖房端末に対応する循環通路２３ａ又は２３ｂ又は２３ｃに循環水の水張りを再度自動的に行うように、再水張り工程を構成してもよい。その他、基本的に実施例１の暖房システム１と同様である。
【００６６】
この場合の再水張り制御は図６のようになる。即ち、各暖房端末の運転開始スイッチがオンされたとき、通常の暖房運転制御については待機させておいて、この再水張り制御が開始される。先ず、運転操作した暖房端末に対応する前回の暖房試運転の結果が記憶部から読み出され（Ｓ３０）、この記憶情報に基づいて前回の暖房試運転が正常に終了しているか否か判定される（Ｓ３１）。前回の暖房試運転が正常に終了している場合（Ｓ３１；Yes ）、水張りチェック処理（Ｓ３２）が実行されると共に、水張り運転が開始される（Ｓ３３）。その後、水張り完了と判定され（Ｓ３４；Yes ）、終了する。
【００６７】
尚、この場合、再水張り工程において、水張りを開始させる為の限定として、暖房タンク２内の水位を検出し、その水位がＬレベル以下である場合にのみ、については、１つ目の暖房端末を運転操作した場合にのみ適用し、２つ目以降の暖房端末を運転操作した場合に適用しないように構成する。即ち、２つ目以降の暖房端末を運転操作時には、暖房タンク２内の水位がＬレベル以上となるため、前記水位がＬレベル以下である場合にのみという限定があると水張りが不可能となるが、この不具合を解消できる。
【００６８】
尚、前記実施例において、熱源機３から循環水が循環供給される暖房端末の数を１つ、或いは、２つ或いは、４つ以上に変更してもよい。また、再水張り工程において、暖房タンク２への自動補水の開始から所定時間Ｔ１経過しても、暖房タンク２内の水位の上昇が検出されない場合に、暖房タンク２への補水通路２５が閉止されている旨を報知場合、ディスプレイに表示させる以外に、警告ランプを点灯させたり、警告音を鳴らして報知するようにしてもよい。
【００６９】
その他、本発明の趣旨を逸脱しない範囲において、種々の変更を付加して実施可能であり、また、暖房タンク、熱源機、少なくとも１つの暖房端末とを備えた種々の暖房システムに、本発明を適用可能である。
【図面の簡単な説明】
【００７０】
【図１】本発明の実施例１に係る暖房システムの構成図である。
【図２】暖房システムの制御系のブロック図である。
【図３】試運転制御のフローチャートである。
【図４】再水張り制御のフローチャートである。
【図５】水張りチェック処理のフローチャートである。
【図６】実施例３に係る再水張り制御のフローチャートである。
【符号の説明】
【００７１】
１              暖房システム
２              暖房タンク
３              熱源機
４              熱交換器
５              バーナ
６ａ〜６ｃ      暖房端末
７            自動補水装置
８              循環ポンプ
１０ａ〜１０ｃ  循環通路開閉弁
１２            制御装置
２３ａ〜２３ｃ  循環通路
２４            循環通路
【図１】
2005069634.tif 000003
【図２】
2005069634.tif 000004
【図３】
2005069634.tif 000005
【図４】
2005069634.tif 000006
【図５】
2005069634.tif 000007
【図６】
2005069634.tif 000008